(57)【要約】
【課題】  より理解しやすい発音記号を開発し、その発音記号を用いた英語学習装置・英語学習用具を提供することである。
【解決手段】  ＣＰＵ３０ｃがハードディスク３０中のプログラムを実行することによって、ハードディスク３０ｂ中の英単語を読み出し、その英単語をディスプレイに表示する。そして、ＣＰＵ３０ｃは、この英単語とともに、その英単語の発音記号もハードディスク３０ｂから取り出してこの発音記号を対応する英単語の近傍に表示する。ここで英単語とともに表示される発音記号が、特殊な記号が少ないわかりやすい発音記号を用いているので、従来に比べて、発音をよりよく理解することができる可能性が高い。
【選択図】      図１
0003101418.tif 000002
【実用新案登録請求の範囲】
【請求項１】
英単語をその発音記号とともに表示する英語学習装置において、
前記英単語と、前記英単語の発音記号と、を記憶する記憶手段と、
前記記憶手段中の英単語を取り出して表示する際に、前記記憶手段中の前記表示する英単語の発音記号を取り出し、その表示する英単語と共に前記取り出した発音記号を表示する表示手段と、
を含み、前記発音記号が、従来から用いられている発音記号を、下記表１に示された変換ルールに基づき変換した発音記号であることを特徴とする英語学習装置。
【表１】
0003101418.tif 000006
【請求項２】
英単語がその発音記号とともに表記されている英語学習用具において、
前記発音記号が、従来から用いられている発音記号を、下記表２に示された変換ルールに基づき変換した発音記号であることを特徴とする英語学習用具。
【表２】
0003101418.tif 000007
【考案の詳細な説明】
【技術分野】
【０００１】
本考案は、英語の学習に用いる英語学習装置・英語学習用具に関する。特に、英単語が表示される英語学習装置に関する。また、特に、発音記号が英単語と共に表示される英語学習装置及び用具に関する。
【背景技術】
【０００２】
英語の学習を行うために様々な教科書や英会話テープ等が開発・販売されている。また、実際の英米人との会話練習を行う英会話教室も広く利用されており、テレビやラジオ等における英会話番組も広く活用されている。
【０００３】
例えば、下記特許文献１には、語彙を視覚化して覚える英単語学習教材が示されている。この特許文献１には、英単語の意味を表す絵に単語の綴りを組み込んで表示する英単語学習教材が開示されている。また、この特許文献１には、アクセントを持つ音節箇所を太字で表示することによってアクセントの位置をわかりやすくした英単語学習教材が開示されている。
【０００４】
また、下記特許文献２には、英語の文章を意味のまとまり毎に改行した表記法を採用した英語学習教材が開示されている。このような表記法を採用すれば、英文を速読し解釈しやすくなると指摘されている。
【０００５】
さらに、下記特許文献３には、各単語に対して発音記号を表記した英習字帳が開示されている。このような英習字帳によれば、正しい発音を聴覚を通して学習できると共に、視覚的にも身につけることができると指摘されている。
【０００６】
【特許文献１】特開２００３−００５６２５号公報
【特許文献２】特開２００２−０４９３０５号公報
【特許文献３】実用新案登録公報第３０００２８９号
【考案の開示】
【考案が解決しようとする課題】
【０００７】
特許文献３のように、発音記号を利用する英語学習用具は多い。このような発音記号によって実際の「音」が伴わなくても、その英単語等の「音」を知ることができるからである。
【０００８】
しかしながら、この発音記号は、一般のアルファベットとは異なる特殊な記号が多いので、わかりにくいという問題がある。特に、幼児・子供向けの英語学習用具にこの発音記号を用いても、幼児や子供にはほとんど発音記号が理解されない場合が多い。
【０００９】
近年、幼児・子供の頃より英語を学習させようとする要望が多いが、上記理由によって、現在の発音記号を用いた英語学習用具では、この要望に十分に応えているとは言い難い。
【００１０】
本考案は、上記課題に鑑みなされたものであり、その目的は、より理解しやすい発音記号を開発し、その発音記号を用いた英語学習装置・英語学習用具を提供することである。
【課題を解決するための手段】
【００１１】
本考案は、上記目的を達成するために、英単語をその発音記号とともに表示する英語学習装置において、前記英単語と、前記英単語の発音記号と、を記憶する記憶手段と、前記記憶手段中の英単語を取り出して表示する際に、前記記憶手段中の前記表示する英単語の発音記号を取り出し、その表示する英単語と共に前記取り出した発音記号を表示する表示手段と、を含み、前記発音記号が、従来から用いられている発音記号を、下記表３に示された変換ルールに基づき変換した発音記号であることを特徴とする英語学習装置である。
【００１２】
【表３】
0003101418.tif 000003
典型的な英語学習装置とは、コンピュータを英語学習装置として動作させるプログラムをコンピュータにインストールし、このプログラムを起動することによって実現することが望ましいと考えられる。具体的な構成は、実施の形態において後述するが、スタンドアローンのコンピュータだけでなく、インターネット等を介した構成を採用することももちろん好ましい。
【００１３】
また、本考案は、上記課題を解決するために、英単語がその発音記号とともに表記されている英語学習用具において、前記発音記号が、従来から用いられている発音記号を、下記表４に示された変換ルールに基づき変換した発音記号であることを特徴とする英語学習用具である。
【００１４】
【表４】
0003101418.tif 000004
以上述べたような構成によれば、発音記号中の特殊な記号の使用を減らし、アルファベットを多用した発音記号を採用することにした。この結果、従来の装置・用具に比べて、英語の発音がより把握しやすくなった。
【考案の効果】
【００１５】
以上述べたように、本考案によれば、わかりやすい新しい発音記号を採用したので、発音を把握しやすい英語学習装置・英語学習用具を提供することができる。特に、子供や幼児の英語学習の際に有用な英語学習装置・英語学習用具を得ることができる。
【考案を実施するための最良の形態】
【００１６】
以下、本考案の好適な実施の形態を図面に基づいて説明する。
【００１７】
実施の形態１  （コンピュータ英語学習装置）
構成
図１には、本考案の好適な実施の形態１に係るコンピュータ英語学習装置１０の機能ブロック図が示されている。この図に示すように、コンピュータ英語学習装置１０は、ディスプレイ２０と、コンピュータ本体３０と、から構成されている。なお、コンピュータ本体３０には、キーボード３２及びマウス３４が接続されている。
【００１８】
ディスプレイ２０は、一般的なコンピュータ用のディスプレイである。
【００１９】
コンピュータ本体３０は、ディスプレイ２０とのインターフェース３０ａと、ハードディスク３０ｂと、ＣＰＵ３０ｃと、を備えている。
【００２０】
インターフェース３０ａは、ディスプレイ２０にビデオ信号を供給する手段であり、一般にビデオカード等と呼ばれるものである。ハードディスク３０ｂは、このコンピュータ英語学習装置１０のプログラムが格納されている。さらに、ハードディスク３０ｂには、このプログラムが利用する英単語と、その英単語の発音記号と、を記載した表が格納されている。
【００２１】
本実施の形態１において特徴的なことは、使用している発音記号が、一般に使用されているものより、特殊な記号を減らし、よりわかりやすくしたことである。本実施の形態において使用する発音記号は、従来の発音記号の一部を新しくしたものである。従来の一般的な発音記号と、本実施の形態における新しい発音記号との対応を表す表が表５に示されている。
【００２２】
【表５】
0003101418.tif 000005
この表５に示されていない従来の発音記号は、本実施の形態でもそのまま使用する。
【００２３】
また、コンピュータ本体３０内部のＣＰＵ３０ｃは、上記プログラムを実行し、コンピュータを、コンピュータ英語学習装置１０として動作させるものである。
【００２４】
動作
本実施の形態１におけるコンピュータ学習装置１０は、ＣＰＵ３０ｃがハードディスク３０ｂ中のプログラムを実行することによって、ハードディスク３０ｂ中の英単語を読み出し、その英単語をディスプレイに表示する。そして、ＣＰＵ３０ｃは、この英単語とともに、その英単語の発音記号もハードディスク３０ｂから取り出してこの発音記号を対応する英単語の近傍に表示する。
【００２５】
この様子が図１に示されている。図１においては、“apple”、“meat”、“wash”の３個の英単語が示されており、その隣に、各英単語の発音記号が表示されている。これによって、英語の学習をする者は、英単語の綴りと共に発音も習得することができる。
【００２６】
本実施の形態において特徴的なことは、英単語とともに表示される発音記号が、特殊な記号が少ないわかりやすい発音記号を用いていることである。この新しい発音記号は、各英単語と共に、ハードディスク３０ｂ中に格納されている。なお、図１においては、本実施の形態における新しい発音記号とともに、従来の発音記号もディスプレイ２０の外部に括弧書きで記載されている。
【００２７】
このように、本実施の形態１においては、ＣＰＵ３０ｃが、ハードディスク３０ｂ中から、英単語を取り出すと共に、その英単語の発音記号も取り出して、両者をディスプレイに表示している。この動作自体は、「文字を画面に表示する動作」であり、コンピュータの一般的な動作であるので、詳細な説明は省略する。
【００２８】
以上述べたように、本実施の形態１によれば、画面に単語と共に表示される発音記号が従来よりわかりやすい発音記号であるため、英単語の発音が理解しやすくなる。その結果、本実施の形態のコンピュータ学習装置１０によれば、英語の学習の効率を向上させることが可能である。
【００２９】
本実施の形態１のコンピュータ英語学習装置１０は、請求の範囲の英語学習装置の一例に相当する。その他、英単語及びその発音記号を記憶し、英単語を表示手段で表示する際に、その発音記号も同時に表示するものであれば、請求の範囲の英語学習装置の例に相当する。例えば、英語の電子辞書、翻訳装置、電子的な手段を用いた各種の英語学習装置等が該当する。
【００３０】
また、本実施の形態１では、スタンドアローンのコンピュータにプログラムをインストールして実行する形態を説明したが、インターネット等の通信手段を用いて英単語の表示を行う構成を採用することももちろん好ましい。
【００３１】
実施の形態２  （英語学習用テキスト）
図２には、本考案の好適な実施の形態２に係る英語学習用テキスト５０の説明図が示されている。この図に示されているように、英語学習用テキスト５０の左ページには、“apple”、“meat”、“wash”の３個の英単語が示されており、その隣に、各英単語の発音記号が表示されている。これによって、英語の学習をする者は、英単語の綴りと共に発音も習得することができる。
【００３２】
本実施の形態２において特徴的なことは、英単語とともに表示される発音記号が、特殊な記号が少ないわかりやすい発音記号を用いていることである。この発音記号は、上記実施の形態１と同様の新しい発音記号であり、従来の発音記号に比べて、英語の発音がわかりやすくなる可能性が高い。本実施の形態２において利用する発音記号は、一般的な従来の発音記号を上記表３の規則に従って変換した発音記号である。
【００３３】
なお、図２においては、本実施の形態２における新しい発音記号とともに、右ページに従来の発音記号も括弧書きで記載されているが、この括弧書きは、本実施の形態２における説明の都合上記載したものであり、実際の英語学習用テキストでは、この括弧書きは省略される。
【００３４】
以上述べたように、本実施の形態２によれば、紙面に単語と共に表示される発音記号が従来よりわかりやすい発音記号であるため、英単語の発音が理解しやすくなる。その結果、本実施の形態２の英語学習用テキスト５０によれば、英語の学習の効率を向上させることが可能である。
【００３５】
なお、本実施の形態２における英語学習用テキスト５０は、請求の範囲の英語学習用具の一例に相当する。その他、単語カードや、英習字帳、英語の学習に用いられ英単語が表示される種々の学習用具が、請求の範囲の英語学習用具の例に相当する。
【図面の簡単な説明】
【００３６】
【図１】本実施の形態１のコンピュータ英語学習装置の機能ブロック図である。
【図２】本実施の形態２の英語学習用テキストの説明図である。
【符号の説明】
【００３７】
１０  コンピュータ英語学習装置
２０  ディスプレイ
３０  コンピュータ本体
３０ａ  インターフェース
３０ｂ  ハードディスク
３０ｃ  ＣＰＵ
３２  キーボード
３４  マウス
５０  英語学習用テキスト
【図１】
0003101418.tif 000008
【図２】
0003101418.tif 000009